(57)【要約】【課題】  本発明は、小鼻の横などの顔の凹部の汚れを確実に取ることを課題とする。従来の平板状のクレンジングパッドでは、小鼻の横などの深い凹部の汚れを取ることが困難である。このような深い凹部のときは特にこのような場所向きに構成されたクレンジングブラシが必要である。そこで本発明は、小鼻の横などの深い凹部の汚れを取ることに向いているクレンジングブラシを提供することを目的とする。【解決手段】  柔軟な樹脂を材料とするブラシ本体に１本の指のみが入る指挿入部が設けられ、ブラシ本体は、基台部と、その基台部の一方の面を覆う甲部とを含み、該甲部は基台部の縁に沿って一体に立ち上がっており、基台部と甲部とによって指挿入部が構成され、柔軟な樹脂を材料とする多数の突起から成るブラシ部が基台部表面に設けられ、指挿入部を構成する基台部内面が凹面に形成されている。【選択図】  図１
2006212239.tif 000002
【特許請求の範囲】
【請求項１】
柔軟な樹脂を材料とするブラシ本体に１本の指のみが入る指挿入部が設けられた顔用のクレンジングブラシであって、前記ブラシ本体は、基台部と、その基台部の一方の面を覆う甲部とを含み、該甲部は基台部の縁に沿って一体に立ち上がっており、基台部と甲部とによって指挿入部が構成され、柔軟な樹脂を材料とする多数の突起から成るブラシ部が基台部表面に設けられ、指挿入部を構成する基台部内面が凹面に形成されていることを特徴とするクレンジングブラシ。
【請求項２】
前記基台部は指挿入部の挿入口よりも外に延びており、その延びた基台部内面も指挿入部内の凹面に連続する凹面に形成されている請求項１記載のクレンジングブラシ。
【請求項３】
柔軟な樹脂を材料とするブラシ本体に１本の指のみが入る指挿入部が設けられた顔用のクレンジングブラシであって、前記ブラシ本体は、基台部と、その基台部の一方の面を覆う甲部とを含み、該甲部は基台部の縁に沿って一体に立ち上がっており、柔軟な樹脂を材料とする多数の突起から成るブラシ部が基台部表面に設けられ、基台部表面が凸面に形成されていることを特徴とするクレンジングブラシ。
【請求項４】
指挿入部の挿入口が、指挿入部の前端方向に延びる基台部に対して鋭角に傾斜している請求項１乃至請求項３記載のクレンジングブラシ。
【請求項５】
多数の突起から成るブラシ部の各突起の先端部で構成される面をブラシ部表面と定義したときに、ブラシ部表面は凸面をなしている請求項１乃至請求項４記載のクレンジングブラシ。
【請求項６】
指挿入部の挿入口側の延長線に沿って延びる把持部がブラシ本体に設けられている請求項１乃至請求項５記載のクレンジングブラシ。
【請求項７】
指挿入部に人差し指を挿入したときに手で把持部を把持できるように、クレンジングブラシの全長は人差し指よりも長い請求項６記載のクレンジングブラシ。
【請求項８】
ブラシ本体から延びる把持部は、その把持部の両側部がくびれたくびれ部分を有している請求項６又は請求項７記載のクレンジングブラシ。
【請求項９】
把持部の前記くびれ部分から後端部にかけて両側部が膨出する膨出後端部が形成され、この膨出後端部の厚みは該膨出後端部から前方の把持部の厚みよりも厚い請求項８記載のクレンジングブラシ。
【発明の詳細な説明】
【技術分野】
【０００１】
本発明は、主に女性が顔の汚れ等を取るときに用いるクレンジングブラシに関する。
【背景技術】
【０００２】
ブラシ部を有する基台部に指挿入部を設けたクレンジングブラシは従来から存在している（例えば、特許文献１参照。）。
【特許文献１】実用新案登録第３０９９２７０号公報（第５頁、図５）
【発明の開示】
【発明が解決しようとする課題】
【０００３】
本発明は、小鼻の横などの顔の凹部の汚れを確実に取ることを課題とする。特許文献１は、薄板状の本体の片面にブラシ部を有しており、ブラシ部を設けた面を顔面に沿ってしならせることができるように軟質な合成樹脂で一体成形し、柔軟性を有している。また、ブラシ部と反対側の面に２本の指が入る挿入穴を設けてある。したがって、顔全体をクレンジングするときは顔に多少の凹凸があるときも的確に対応できる。しかし、小鼻の横などの深い凹部のときは特許文献１のクレンジングブラシでは汚れを取ることが困難である。このような深い凹部のときは特にこのような場所向きに構成されたクレンジングブラシが必要である。そこで本発明は、小鼻の横などの深い凹部の汚れを取ることに向いているクレンジングブラシを提供することを目的とする。
【課題を解決するための手段】
【０００４】
本発明の請求項１は、柔軟な樹脂を材料とするブラシ本体に１本の指のみが入る指挿入部が設けられた顔などのクレンジングブラシであって、前記ブラシ本体は、基台部と、その基台部の一方の面を覆う甲部とを含み、該甲部は基台部の縁に沿って一体に立ち上がっており、基台部と甲部とによって指挿入部が構成され、柔軟な樹脂を材料とする多数の突起から成るブラシ部が基台部表面に設けられ、指挿入部を構成する基台部内面が凹面に形成されている構成である。
【０００５】
請求項２は、基台部が指挿入部の挿入口よりも外に延びており、その延びた基台部内面も指挿入部内の凹面に連続する凹面に形成されている要素が請求項１に付加された構成である。
【０００６】
請求項３は、柔軟な樹脂を材料とするブラシ本体に１本の指のみが入る指挿入部が設けられた顔などのクレンジングブラシであって、前記ブラシ本体は、基台部と、その基台部の一方の面を覆う甲部とを含み、該甲部は基台部の縁に沿って一体に立ち上がっており、柔軟な樹脂を材料とする多数の突起から成るブラシ部が基台部表面に設けられ、基台部表面が凸面に形成されている構成である。
【０００７】
請求項４は、指挿入部の挿入口が、指挿入部の前端方向に延びる基台部に対して鋭角に傾斜している要素が請求項１乃至請求項３に付加された構成である。
【０００８】
請求項５は、多数の突起から成るブラシ部の各突起の先端部で構成される面をブラシ部表面と定義したときに、ブラシ部表面が凸面をなしている要素が請求項１乃至請求項４に付加された構成である。
【０００９】
請求項６は、指挿入部の挿入口側の延長線に沿って延びる把持部がブラシ本体に設けられている要素が請求項１乃至請求項５に付加された構成である。
【００１０】
請求項７は、指挿入部に人差し指を挿入したときに手で把持部を把持できるように、クレンジングブラシの全長は人差し指よりも長い要素が請求項６に付加された構成である。
【００１１】
請求項８は、ブラシ本体から延びる把持部が、その把持部の両側部がくびれたくびれ部分を有している要素が請求項６又は請求項７に付加された構成である。
【００１２】
請求項９は、把持部の前記くびれ部分から後端部にかけて両側部が膨出する膨出後端部が形成され、この膨出後端部の厚みは該膨出後端部から前方の把持部の厚みよりも厚い要素が請求項８に付加された構成である。
【発明の効果】
【００１３】
請求項１は、柔軟な樹脂を材料とするブラシ本体に１本の指のみが入る指挿入部が設けられた顔などのクレンジングブラシであって、甲部は基台部の縁に沿って一体に立ち上がっており、基台部と甲部とによって指挿入部が構成され、柔軟な樹脂を材料とする多数の突起から成るブラシ部が基台部表面に設けられ、指挿入部を構成する基台部内面が凹面に形成されている。したがって、ブラシ部は１本の指とほぼ同じ程度の幅であるから、小鼻の横などの顔の深い凹部の底にブラシ部を宛がうことができるので、凹部の底の汚れを容易に取り除くことができる。また、指挿入部は指がややきつめに挿入されるように形成することが好ましい。きつめに挿入すれば使用中に指が抜けることを防止できるからである。そのときに、指挿入部を構成する基台部内面を凹面とすれば、挿入した指の腹に対する圧迫を平均化できるので部分的にきつくなることを防止し、指全体がほどよいきつさで圧迫され痛みを感じることがない。さらに、基台部内面が凹面であることにより、指の細い使用者が指を挿入して使用するときに指が抜けることを防止できる。
【００１４】
請求項２は、基台部が指挿入部の挿入口よりも外に延びており、その延びた基台部内面も指挿入部内の凹面に連続する凹面に形成されている。したがって、指を挿入する前に、指先を挿入口に宛がったときに既に指先の腹が凹面に当たる。このことは、凹面の分だけ挿入口が広がることになるから指を楽に挿入することができる。仮に、凹面が外に出ていないときは挿入口を広くする必要があり、そうすると指挿入部内に凹面があるから指が緩くなってしまい、作業が安定しないのである。
【００１５】
請求項３は、柔軟な樹脂を材料とするブラシ本体に１本の指のみが入る指挿入部が設けられた顔などのクレンジングブラシであって、ブラシ本体は、基台部と、その基台部の一方の面を覆う甲部とを含み、甲部は基台部の縁に沿って一体に立ち上がっており、柔軟な樹脂を材料とする多数の突起から成るブラシ部が基台部表面に設けられ、基台部表面が凸面に形成されている構成である。したがって、顔の深い凹部の汚れを取るときに、湾曲した凹部に対応させるためにブラシ部を強い力で凹部に宛がって無理にブラシ部を湾曲させる必要がない。基台部表面が凸面に形成されているからである。したがって、顔の深い凹部を洗浄するときにブラシ部を必要以上に強い力で宛がう必要がなく、ブラシ部の摩擦で皮膚を傷める虞がない。
【００１６】
請求項４は、指挿入部の挿入口が、指挿入部の前端方向に延びる基台部に対して鋭角に傾斜している構成である。したがって、指挿入部の外にはみ出た基台部の凹面と相俟って、指を真横にして指挿入部に挿入しなくてもよく、指の手前側をやや持ち上げて挿入できるから指の挿入が楽である。
【００１７】
請求項５は、多数の突起から成るブラシ部の各突起の先端部で構成される面をブラシ部表面と定義したときに、ブラシ部表面は凸面をなしている構成である。したがって、ブラシ部の中央部で顔の深い凹部を洗浄するときに、ブラシ部の縁の部分が先に顔に当たって中央部のブラシ部が深い凹部の底に届きづらくなることを防止できる。
【００１８】
請求項６は、指挿入部の挿入口側の延長線に沿って延びる把持部がブラシ本体に設けられている。したがって、挿入した指のある方の手で把持部を握りながら作業ができるので、クレンジングブラシが指から外れることがない。また、指を指挿入部に挿入するときに、把持部を引っ張りながら挿入することによって容易に挿入することができる。さらに、挿入した指がきつめのときは、ブラシ本体を引っ張って指から外すのに手間がかかる。このときに、把持部を片方の手で持って、把持部をブラシ本体のブラシ部側の面方向に引っ張るとブラシ本体が伸びて指挿入部が大きく広がる。そして、指の甲がブラシ本体の挿入口付近の甲部を押し広げるので、指挿入部に挿入されていた指の指先が基台部の凹面を滑りながら指は指挿入部から容易に抜ける。このように、把持部を設けることにより挿入した指を楽に抜くことができる。
【００１９】
請求項７は、指挿入部に人差し指を挿入したときに手で把持部を把持できるように、クレンジングブラシの全長は人差し指よりも長く形成されている。これにより、把持部を把持しながらクレンジングブラシを使用することができる。また、把持部をＵ字形に折り畳んで、その後端部を指挿入部に挿入することができる。これによって、全体がコンパクトになり携帯に便利である。
【００２０】
請求項８は、ブラシ本体から延びる把持部が、くびれ部分を有している構成である。したがって、手で把持部を把持しながら作業をしているときに、指挿入部から指を抜こうとする強い力が加わっても、くびれ部分を把持していればその強い力に対抗できるから指が抜け出すことがない。
【００２１】
請求項９は、把持部のくびれ部分から後端部にかけて両側部が膨出する膨出後端部が形成され、この膨出後端部の厚みは該膨出後端部から前方の把持部の厚みよりも厚い構成である。くびれ部分を設けることによって、挿入部から指を抜こうとする強い力が加わってもそれに対抗できることは前述した通りである。しかし、膨出後端部を薄く形成したり、吊り下げ用の孔を設けるときは膨出後端部の強度が弱くなる。強度が弱くなることよって容易に変形する。このため、挿入部から指を抜こうとする強い力が加わったときに、その力に抗しきれずに膨出後端部が変形して事実上くびれ部が消失する。そのときは指が指挿入部から抜けてしまうのである。そこで、膨出後端部をそれよりも前方の把持部よりも厚くすることによって強度を増し、容易に変形することを防止できる。
【発明を実施するための最良の形態】
【００２２】
次に発明を実施するための最良の形態について説明する。クレンジングブラシ１はシリコーン樹脂のような柔軟な樹脂で一体に形成されており、ブラシ本体２と把持部３が一体に連なっている。樹脂の表面硬度は、ショアＡ１０〜ショアＡ８０のものが好ましい。ブラシ本体２は、基台部４と甲部５を有しており、基台部４の縁に沿って甲部５が立ち上がった構成で、甲部５は基台部４の内面６を覆っている。縁に沿ってというのは、図１に示すように甲部５の下端が基台部４の縁にぴったり沿っていて甲部５よりも外側にはみ出ていない構成のほかに、甲部５の下端が基台部４の縁よりもやや内側に寄って、そのために基台部４の縁がフランジ状に甲部５よりもややはみ出ている構成も含む意味である。
【００２３】
その甲部５によって指挿入部７が形成される。甲部５は基台部４の両側部９，９と前端部１０の縁から立ち上がっている。甲部５の表面には３つの窪みからなる顔のマーク２３が形成されている。これは、クレンジングブラシの用途を表示したものである。用途は顔以外でもよく、さらにはその用途に合わせたマークを付けてもよい。指挿入部７の後端は開放されて挿入口８を構成する。図１に示すように挿入口８よりも、基台部４の両側部９，９間の最大幅の方が幅広である。その両側部９，９間の最大幅は約２２ｍｍである。したがって、指挿入部７も挿入口８から中に行くに従って幅が広がり、それから前に行くに従って徐々に幅が狭くなる。図３又は図４に示すように挿入口８は斜めにカットされ、前端に延びる基台部４に対して鋭角をなすように傾斜している。指挿入部７の前端には小さな孔１１が形成されている。指を挿入するときの指挿入部７の空気抜きや乾燥のためであり、指を挿入部７から抜くときの空気吸入のためである。甲部５は、基台部４の両側部９，９と前端部１０のすべての縁から立ち上がっている構成に限定されるものではない。例えば、前端部１０からは立ち上がらずに甲部５の前端は開放されて、指挿入部がトンネル状に構成されていてもよい。また、甲部５の上面などに孔を設けてもよい。さらに、甲部５の表面にブラシ部を形成してもよい。
【００２４】
基台部４の内面６は凹面に形成されている。図９に示すように基台部４の内面６の円弧２０の半径は約１２ｍｍである。好ましい半径の長さは８ｍｍ〜４０ｍｍである。凹面は、筒の内面のような凹面でもよく、スプーンのすくい部のように中央付近で最も深い凹面でもよい。また、これら以外の形状の凹面でもよい。基台部４は挿入口８から外にはみ出して延びており、そのはみ出した基台部４のはみ出し内面１９も凹面に形成されている。はみ出した凹面は指挿入部７内の凹面から連続する滑らかな１つの凹面となるように形成されている。凹面は後端付近では徐々に浅くなるように形成される。はみ出した凹面の後端までが基台部４と定義される。しかし本発明はこの定義に限定されるものではなく、挿入口までが基台部であってもよく、はみ出した凹面が把持部３まで形成されてもよい。基台部４は中央付近が最も薄く形成され、その厚みは約２ｍｍである。厚みは基台部４の側部に行くに従って増加し、側部付近で約３ｍｍである。これに対して、甲部５の厚みはほぼ一定で約２ｍｍである。
【００２５】
図６又は図９に示すように、基台部４の表面１２は弧状の凸面に形成されている。基台部４の表面１２の円弧２１の半径は約２０ｍｍである。好ましい半径の長さは１２ｍｍ〜８０ｍｍである。この実施形態の基台部４の表面１２は円筒形の周面のような凸面に形成され、基台部４の後方に行くに従って次第に平らに近くなり、把持部３の平らな面へと連なる。本発明は、このような凸面に限定されるものではなく、球面すなわち凸面鏡のような凸面であってもよいし、他の形状の凸面であってもよい。
【００２６】
基台部４の表面１２に、多数の突起１３から成るブラシ部１４が一体に形成されている。突起１３の最も太い部分の直径でも０．３ｍｍ〜０．８ｍｍ程度であってかなり細く形成され、材料はシリコーン樹脂などの柔軟な樹脂である。したがって、突起１３は非常に柔らかで、皮膚に当たるとすぐに撓むので皮膚に刺さる感覚は全く生じない。ブラシ部１４は、基台部４の表面１２の全面に形成してもよく、あるいは一部に突起１３のない部分があってもよい。突起１３の太さはすべて同じでもよく、２以上の太さのものを混在させてもよい。また、ブラシ部１４は把持部３にも形成してよい。把持部３の両面にブラシ部４を形成してもよい。ブラシ部４を把持部３に形成したときは、皮膚をやわらかに撫でるようなブラシ部の心地よい感覚を感じながらクレンジングブラシを使用することができる。
【００２７】
突起１３はすべて同じ長さであり、約２．５ｍｍである。したがって、各突起１３の先端で構成される面は凸面をなす。各突起１３の先端で構成される凸面の円弧２２の半径は２０ｍｍである。好ましい半径の長さは１５ｍｍ〜１００ｍｍである。本発明の突起はこれに限定されるものでなく、２以上の異なる高さの突起を混在させてもよい。各突起の先端で構成される面が水平面であってもよい。図９に示すように、各突起１３はすべて平行に延びている。したがって、各突起１３が基台部４の表面から垂直に延びていない。ただし、本発明は各突起１３が基台部４の表面から垂直に延びて、扇形に広がる構成であってもよい。
【００２８】
把持部３は、基台部４から一体に延びている。把持部３は基台部４から厚板状に延び、その厚みは約６ｍｍである。把持部３の両側部１５，１５は平行でなく、後方に行くに従って徐々に幅が狭くなるように延び、その後、反対に幅が徐々に広がるように延びてくびれ部１６，１６を形成する。くびれ部１６から後端部にかけて両側部が膨出する膨出後端部１７が形成される。図４に示すように膨出後端部１７はそれよりも前方の把持部３よりも肉厚に形成され、最大肉厚は約７．５ｍｍである。肉厚の形成は段差が生じるような急激な厚みの増加ではなく、緩やかに徐々に厚みが増すように傾斜面が形成される。また、膨出後端部１７には吊り下げ孔１８が設けられている。吊り下げ孔１８に代えて吸盤を取り付けてもよい。吸盤は他の場所、例えば甲部５などに取り付けてもよい。把持部３を含んだクレンジングブラシ１の全長は約１０５ｍｍである。この長さは、指挿入部７に人差し指を挿入したときに、クレンジングブラシ１の後端が人差し指の付け根よりも手のひら方向に延びる長さである。クレンジングブラシ１の全長はこの数値に限定されず、これよりも長くても短くてもよい。把持部３はシリコーン樹脂のような柔軟な樹脂で形成されているので、上下左右に簡単に曲げることができる。折り畳んで、膨出後端部１７を指挿入部７内に挿入してクレンジングブラシ１をコンパクトにしておくことができる。膨出後端部１７の幅は指挿入部７の幅よりも広く形成されているが、膨出後端部１７には吊り下げ孔１８が設けられていて、この吊り下げ孔１８を側方から押しつぶすようにすれば膨出後端部１７を指挿入部７に挿入できる。また、挿入した後で、つぶされた吊り下げ孔１８が元の形状に復帰しようとする弾性力によって、膨出後端部１７が指挿入部７の内面を押圧するので膨出後端部１７が指挿入部７から自然に抜け出すことがない。なお、把持部３は、基台部４と甲部５の境、すなわち、挿入口８の側部から一体に延びてもよい。挿入口８の両側部から２本の把持部が対向して延びてもよい。
【００２９】
次に本発明の使用方法について説明する。指挿入部７に挿入する指は人差し指でも中指でもあるいは他の指でもよいが、人差し指を挿入する場合について説明する。先ず、人差し指の指先を挿入口８に宛がう。このとき、人差し指の指先は、指挿入部７から外にはみ出している基台部４のはみ出し内面１９の凹面に宛がわれる。このはみ出し内面１９の凹面はその後端から前方へ下りの斜面に形成されている。したがって、指先がこの斜面に宛がわれたときに、人差し指はこの斜面の延長線と同様に後方へ行くに従って上昇する傾斜をなす。すなわち、人差し指を指挿入部７に挿入するときに、人差し指は把持部３と平行にならず把持部３に接触することなく挿入される。したがって、挿入の際に把持部３が邪魔になることがなく、人差し指が把持部３と擦れあうこともなく、円滑に人差し指を挿入することができる。
【００３０】
指を指挿入部７に一杯に挿入した後で、例えば小鼻の横の深い凹部を洗浄するときは、その凹部にブラシ部１４を宛がってマッサージをするように擦る。その際、把持部３を手で把持しながら擦ると、指が指挿入部７から抜け出すことがない。基台部４の表面１２及びブラシ部１４の表面は凸面をなしているから、ブラシ部１４は容易に深い凹部に入り込む。そして、突起１３が深い凹部の底まで確実に届くのできれいに洗浄することができる。各突起１３はすべて平行に基台部４の表面から突出していて、各突起１３が扇形に広がっていない。各突起１３が扇形に広がっていると皮膚に宛がったときに突起１３が外側に寝てしまうので、突起１３の先端を使って皮膚を洗浄するためには突起１３を短く形成する必要がある。それで支障はないが皮膚に対する当りが強くなる。各突起１３が平行であれば、突起１３を皮膚に宛がってマッサージをするように擦ったときに、突起１３の先端が皮膚を突くので突起１３が長くても毛穴の汚れも確実に洗浄できる。また、突起１３を長めに形成すれば皮膚に対する当たりがソフトになる。
【００３１】
洗浄が終了したときは、指挿入部７から指を抜く。ブラシ本体２を他方の手で持って引き抜くことができる。ブラシ本体２を持たずに、他方の手で把持部３を持ってブラシ部１４側の面に引っ張るとブラシ本体２が伸びて指挿入部が大きく広がる。そして、指の甲がブラシ本体の挿入口付近の甲部を押し広げるので、指挿入部に挿入されていた指の指先が基台部４の内面６を滑りながら指が指挿入部から容易に抜け出る。このように、ブラシ本体２や把持部３を引き伸ばしたり大きく変形させても、クレンジングブラシ１の材料がシリコーン樹脂のような柔軟な樹脂であるから変形性に優れ、材料が引き裂かれることがなくクレンジングブラシ１は破損しない。
【図面の簡単な説明】
【００３２】
【図１】甲部側から見た本発明の全体図
【図２】基台部の表面側から見た本発明の全体図
【図３】本発明の側面図
【図４】図１におけるＡ−Ａ断面図
【図５】本発明の後面図
【図６】本発明の前面図
【図７】図１におけるＢ−Ｂ断面図
【図８】図１におけるＣ−Ｃ断面図
【図９】図１におけるＤ−Ｄ断面図
【符号の説明】
【００３３】
１  クレンジングブラシ
２  ブラシ本体
３  把持部
４  基台部
５  甲部
６  内面
７  指挿入部
８  挿入口
９  基台部の側部
１０  前端部
１１  孔
１２  基台部の表面
１３  突起
１４  ブラシ部
１５  把持部の側部
１６  把持部のくびれ部
１７  膨出後端部
１８  吊り下げ孔
１９  はみ出し内面
２０  基台部の内面の円弧
２１  基台部の表面の円弧
２２  各突起の先端で構成される凸面の円弧
２３  マーク
【図１】
2006212239.tif 000003
【図２】
2006212239.tif 000004
【図３】
2006212239.tif 000005
【図４】
2006212239.tif 000006
【図５】
2006212239.tif 000007
【図６】
2006212239.tif 000008
【図７】
2006212239.tif 000009
【図８】
2006212239.tif 000010
【図９】
2006212239.tif 000011